(57)【要約】【課題】イン−バンドシグナリング情報送受信方法及び装置を提供する。【解決手段】本発明に係るフレームを構成する複数のデータＰＬＰ（Ｐｈｙｓｉｃａｌ  Ｌａｙｅｒ  Ｐｉｐｅ）を介して放送サービスデータを転送する無線放送システムにおけるイン−バンドシグナリング情報送信方法は、現在フレームを転送する時点から最大スケジューリング可能区間（ＮＭＡＸ）内で転送される少なくとも１つのフレームで特定の放送サービスのためのデータＰＬＰの転送が存在しない時、上記現在フレームの上記特定の放送サービスのためのデータＰＬＰ内にノン−ＰＬＰシグナリング情報を含めて転送する過程を含み、ここで、上記ノン−ＰＬＰシグナリング情報は、上記最大スケジューリング可能区間内で転送される、少なくとも１つのフレームを通じて上記特定の放送サービスのためのデータＰＬＰの転送がなされないことを知らせるための情報である。【選択図】図４
2011519191.tif 000002
【特許請求の範囲】
【請求項１】
フレームを構成する複数のデータＰＬＰ（Ｐｈｙｓｉｃａｌ  Ｌａｙｅｒ  Ｐｉｐｅ）を介して放送サービスデータを転送する無線放送システムにおけるイン−バンドシグナリング情報送信方法であって、
現在フレームを転送する時点から、前記現在フレームより後のフレームの総数を単位とする最大スケジューリング可能区間（ＮＭＡＸ）内で転送される少なくとも１つのフレームで、特定の放送サービスのためのデータＰＬＰの転送が存在しない時、前記現在フレームの前記特定の放送サービスのためのデータＰＬＰ内にノン−ＰＬＰシグナリング情報を含めて転送する過程を含み、
ここで、前記ノン−ＰＬＰシグナリング情報は、前記最大スケジューリング可能区間内で転送される、少なくとも１つのフレームを通じて前記特定の放送サービスのためのデータＰＬＰの転送がなされないことを知らせるための情報であることを特徴とするイン−バンドシグナリング情報送信方法。
【請求項２】
前記イン−バンドシグナリング情報がフレームインデックスフィールドを含むか否かを判断する過程をさらに含むことを特徴とする請求項１に記載のイン−バンドシグナリング情報送信方法。
【請求項３】
前記データＰＬＰが前記フレームインデックスフィールドを備え、前記最大スケジューリング可能区間（ＮＭＡＸ）内で前記現在フレームの以後に転送されるフレーム内に前記特定の放送サービスのためのデータＰＬＰが存在しなければ、前記ノン−ＰＬＰシグナリング情報は、前記フレームインデックスフィールド値のうちの１つを用いることを特徴とする請求項２に記載のイン−バンドシグナリング情報送信方法。
【請求項４】
前記データＰＬＰがフレームインデックスフィールドを具備し、前記最大スケジューリング可能区間（ＮＭＡＸ）内で前記現在フレームの以後に転送されるフレーム内に前記特定の放送サービスのためのデータＰＬＰが存在しなければ、前記ノン−ＰＬＰシグナリング情報は、前記特定の放送サービスのためのデータＰＬＰ内に別のフィールドを用いることを特徴とする請求項２に記載のイン−バンドシグナリング情報送信方法。
【請求項５】
前記データＰＬＰがフレームインデックスフィールドを具備し、前記最大スケジューリング可能区間（ＮＭＡＸ）内で前記現在フレームの以後に転送されるフレーム内に前記特定の放送サービスのためのデータＰＬＰが存在しなければ、前記ノン−ＰＬＰシグナリング情報は、前記フレームインデックスフィールドとイン−バンドシグナリング情報内の前記データＰＬＰの長さ情報とを組み合わせたものであることを特徴とする請求項２に記載のイン−バンドシグナリング情報送信方法。
【請求項６】
前記データＰＬＰがフレームインデックスフィールドを具備せず、前記現在フレームの次に転送されるフレーム内に前記特定の放送サービスのためのデータＰＬＰが存在しなければ、前記ノン−ＰＬＰシグナリング情報は、前記データＰＬＰに含まれるイン−バンドシグナリング情報をブランクにしたことを特徴とする請求項２に記載のイン−バンドシグナリング情報送信方法。
【請求項７】
前記任意のデータＰＬＰがフレームインデックスフィールドを具備せず、前記現在フレームの次に転送されるフレーム内に前記特定の放送サービスのためのデータＰＬＰが存在すれば、前記任意のデータＰＬＰに含まれるイン−バンドシグナリング情報に前記次に転送されるフレーム内に前記特定の放送サービスのためのデータＰＬＰに対する制御情報を挿入して、前記現在フレームを転送する過程をさらに含むことを特徴とする請求項２に記載のイン−バンドシグナリング情報送信方法。
【請求項８】
前記任意のデータＰＬＰがフレームインデックスフィールドを具備し、前記最大スケジューリング可能区間（ＮＭＡＸ）内で前記現在フレームの次に転送されるフレーム内に前記特定の放送サービスのためのデータＰＬＰが存在すれば、前記任意のデータＰＬＰに含まれるイン−バンドシグナリング情報に前記特定の放送サービスのためのデータＰＬＰが存在するフレームインデックスを決定し、前記特定の放送サービスのためのデータＰＬＰに対する制御情報を決定する過程と、
前記決定されたフレームインデックスと前記特定の放送サービスのためのデータＰＬＰに対する制御情報を前記現在フレームに挿入して転送する過程と、
をさらに含むことを特徴とする請求項２に記載のイン−バンドシグナリング情報送信方法。
【請求項９】
フレームを構成する複数のデータＰＬＰ（Ｐｈｙｓｉｃａｌ  Ｌａｙｅｒ  Ｐｉｐｅ）を介して放送サービスデータを転送する無線放送システムにおけるイン−バンドシグナリング情報送信装置であって、
現在フレームを転送する時点から、前記現在フレームより後のフレームの総数を単位とする最大スケジューリング可能区間（ＮＭＡＸ）内で転送される少なくとも１つのフレームで、特定の放送サービスのためのデータＰＬＰの転送が存在しない時、前記現在フレームを通じて前記特定の放送サービスのためのデータＰＬＰ内にノン−ＰＬＰシグナリング情報を含めて転送する送信機を含み、
ここで、前記ノン−ＰＬＰシグナリング情報は、前記最大スケジューリング可能区間内で転送される少なくとも１つのフレームを通じて前記特定の放送サービスのためのデータＰＬＰの転送がなされないことを知らせるための情報であることを特徴とするイン−バンドシグナリング情報送信装置。
【請求項１０】
前記データＰＬＰは、フレームインデックスフィールドを含むことを特徴とする請求項９に記載のイン−バンドシグナリング情報送信装置。
【請求項１１】
前記データＰＬＰが前記フレームインデックスフィールドを具備せず、前記現在フレームの次に転送されるフレーム内に前記特定の放送サービスのためのデータＰＬＰが存在しなければ、前記ノン−ＰＬＰシグナリング情報は、前記データＰＬＰに含まれるイン−バンドシグナリング情報をブランクにすることを特徴とする請求項９に記載のイン−バンドシグナリング情報送信装置。
【請求項１２】
前記送信機は、
前記データＰＬＰが前記フレームインデックスフィールドを具備せず、前記現在フレームの次に転送されるフレーム内に前記特定の放送サービスのためのデータＰＬＰが存在すれば、前記データＰＬＰに含まれるイン−バンドシグナリング情報に前記次に転送されるフレーム内に前記特定の放送サービスのためのデータＰＬＰに対する制御情報を挿入することを特徴とする請求項９に記載のイン−バンドシグナリング情報送信装置。
【請求項１３】
前記送信機は、
前記データＰＬＰが前記フレームインデックスフィールドを具備し、前記最大スケジューリング可能区間（ＮＭＡＸ）内で前記現在フレームの以後に転送されるフレーム内に前記特定の放送サービスのためのデータＰＬＰが存在しなければ、前記データＰＬＰのフレームインデックスフィールド値のうちの１つを用いて前記最大スケジューリング可能区間内に前記現在フレームの以後に転送されるフレーム内に前記特定の放送サービスのためのデータＰＬＰが存在しないことを表すことを特徴とする請求項１０に記載のイン−バンドシグナリング情報送信装置。
【請求項１４】
前記送信機は、
前記データＰＬＰが前記フレームインデックスフィールドを具備し、前記最大スケジューリング可能区間（ＮＭＡＸ）内で前記現在フレームの以後に転送されるフレーム内に前記特定の放送サービスのためのデータＰＬＰが存在しなければ、前記データＰＬＰ内に別のフィールドを定義して、前記最大スケジューリング可能区間内に前記現在フレームの以後に転送されるフレーム内に前記特定の放送サービスのためのデータＰＬＰが存在しないことを表すことを特徴とする請求項１０に記載のイン−バンドシグナリング情報送信装置。
【請求項１５】
前記送信機は、
前記データＰＬＰが前記フレームインデックスフィールドを具備し、前記最大スケジューリング可能区間（ＮＭＡＸ）内で前記現在フレームの以後に転送されるフレーム内に前記特定の放送サービスのためのデータＰＬＰが存在しなければ、前記フレームインデックスフィールドと前記データＰＬＰの長さ情報とを組み合わせて、前記最大スケジューリング可能区間内に前記現在フレームの以後に転送されるフレーム内に前記特定の放送サービスのためのデータＰＬＰが存在しないことを表すことを特徴とする請求項１０に記載のイン−バンドシグナリング情報送信装置。
【請求項１６】
前記送信機は、
前記任意のデータＰＬＰが前記フレームインデックスフィールドを具備し、前記最大スケジューリング可能区間（ＮＭＡＸ）内で前記現在フレームの以後に転送されるフレーム内に前記特定の放送サービスのためのデータＰＬＰが存在すれば、前記データＰＬＰに含まれるイン−バンドシグナリング情報に前記特定の放送サービスのためのデータＰＬＰが存在するフレームインデックスを決定し、前記特定の放送サービスのためのデータＰＬＰに対する制御情報を決定し、前記決定されたフレームインデックスと前記特定の放送サービスのためのデータＰＬＰに対する制御情報を前記現在フレームに挿入して転送することを特徴とする請求項１０に記載のイン−バンドシグナリング情報送信装置。
【請求項１７】
フレームを構成する少なくとも１つのデータＰＬＰ（Ｐｈｙｓｉｃａｌ  Ｌａｙｅｒ  Ｐｉｐｅ）を介して放送サービスデータを転送する無線放送システムにおけるイン−バンドシグナリング情報受信方法であって、
受信中の現在フレームで特定の放送サービスのためのデータＰＬＰのイン−バンドシグナリング情報から前記特定の放送サービスのためのデータＰＬＰの次のパケットに対する制御情報を獲得する過程と、
前記制御情報から前記次のパケットが存在するフレームが、前記現在フレームより後のフレームの総数を単位とする最大スケジューリング可能区間（ＮＭＡＸ）内で転送されるか否かを検査する過程と、
前記次のパケットが存在するフレームが前記最大スケジューリング可能区間内で転送されれば、前記次のパケットが存在するフレームで前記次のパケットを探して受信する過程と、
を含むことを特徴とするイン−バンドシグナリング情報受信方法。
【請求項１８】
前記次のパケットが存在するフレームが前記最大スケジューリング可能区間（ＮＭＡＸ）の以後に転送されれば、前記現在フレームから前記最大スケジューリング可能区間の以後のフレーム＃（ＮＭＡＸ＋１）で物理階層シグナリング情報を受信する過程と、
前記受信した物理階層シグナリング情報を使用して前記次のパケットを受信する過程と、
をさらに含むことを特徴とする請求項１７に記載のイン−バンドシグナリング情報受信方法。
【請求項１９】
前記次のパケットが存在するフレームが最大スケジューリング可能区間内で転送されるか否かを検査する過程は、
前記特定の放送サービスのためのデータＰＬＰのイン−バンドシグナリング情報に含まれたフレームインデックスフィールド値、または前記次のパケットが前記最大スケジューリング可能区間で転送されるかを示すパケット、または前記フレームインデックスフィールドと前記データＰＬＰの長さ情報との組合せのうち、いずれか１つを用いて検査する過程を含むことを特徴とする請求項１７に記載のイン−バンドシグナリング情報受信方法。
【請求項２０】
前記特定の放送サービスのためのデータＰＬＰにフレームインデックス情報が存在するか否かを判断する過程をさらに含むことを特徴とする請求項１７に記載のイン−バンドシグナリング情報受信方法。
【請求項２１】
前記データＰＬＰに前記フレームインデックス情報が存在せず、前記特定の放送サービスのためのデータＰＬＰが次のフレームに存在しなければ、
前記現在フレーム＃ｋから２フレームの以後のフレーム＃（ｋ＋２）で物理階層シグナリング情報を受信する過程と、
前記受信した物理階層シグナリング情報を使用して前記次のパケットを受信する過程と、
をさらに含むことを特徴とする請求項２０に記載のイン−バンドシグナリング情報受信方法。
【請求項２２】
フレームを構成する少なくとも１つのデータＰＬＰ（Ｐｈｙｓｉｃａｌ  Ｌａｙｅｒ  Ｐｉｐｅ）を介して放送サービスデータを転送する無線放送システムにおけるイン−バンドシグナリング情報受信装置であって、
受信中の現在フレームで特定の放送サービスのためのデータＰＬＰのイン−バンドシグナリング情報を獲得するイン−バンドシグナリング情報抽出部と、
前記獲得されたイン−バンドシグナリング情報から前記特定の放送サービスのためのデータＰＬＰの次のパケットに対する制御情報を獲得し、前記制御情報から前記次のパケットが存在するフレームが最大スケジューリング可能区間（ＮＭＡＸ）内で転送されるか否かを検査し、前記次のパケットが存在するフレームが、前記現在フレームより後のフレームの総数を単位とする前記最大スケジューリング可能区間内で転送されれば、前記次のパケットが存在するフレームで前記次のパケットを探して受信するようにデータＰＬＰ受信部を制御する制御部と、
を含むことを特徴とするイン−バンドシグナリング情報受信装置。
【請求項２３】
前記制御部は、
前記次のパケットが存在するフレームが前記最大スケジューリング可能区間の以後に転送されれば、前記最大スケジューリング可能区間の以後の初めのフレームの物理階層シグナリング情報を受信するように物理階層受信部を制御し、前記受信した物理階層シグナリング情報を使用して前記次のパケットを受信するように前記データＰＬＰ受信部を制御することを特徴とする請求項２２に記載のイン−バンドシグナリング情報受信装置。
【請求項２４】
前記制御部は、前記特定の放送サービスのためのデータＰＬＰのイン−バンドシグナリング情報に含まれたフレームインデックスフィールド値、または前記次のパケットが前記最大スケジューリング可能区間で転送されるかを示すパケット、または前記フレームインデックスフィールドと前記データＰＬＰの長さ情報との組合せのうち、いずれか１つを用いて前記次のパケットが存在するフレームが前記最大スケジューリング可能区間内で転送されるか否かを検査することを特徴とする請求項２２に記載のイン−バンドシグナリング情報受信装置。
【請求項２５】
前記制御部は、
前記データＰＬＰに前記フレームインデックス情報が存在せず、前記特定の放送サービスのためのデータＰＬＰが次のフレームに存在しなければ、
前記現在フレーム＃ｋから２フレームの以後のフレーム＃（ｋ＋２）で物理階層シグナリング情報を受信するように物理階層受信部を制御し、
前記受信した物理階層シグナリング情報を使用して前記次のパケットを受信するように前記データＰＬＰ受信部を制御することを特徴とする請求項２２に記載のイン−バンドシグナリング情報受信装置。
【発明の詳細な説明】
【技術分野】
【０００１】
本発明は、無線ディジタル放送システムに関し、特に、イン−バンドシグナリング情報送受信方法及び装置に関する。
【背景技術】
【０００２】
２１世紀の情報化社会における放送通信サービスは、本格的なディジタル化、多チャンネル化、光帯域化、及び高品質化の時代を迎えている。特に、最近に高画質ディジタルＴＶ及びＰＭＰ（Ｐｏｒｔａｂｌｅ  Ｍｅｄｉａ  Ｐｌａｙｅｒ）、携帯放送機器の補給が拡大されるにつれて、ディジタル放送サービスも多様な受信方式のサポートに対する要求が増大している。
【０００３】
図１は、従来の放送システムの転送方式を説明するための図である。
図１を参照すると、参照番号１０１は１つのフレームを示す。通常的に、フレーム１０１は、プリアンブル（Ｐｒｅａｍｂｌｅ）１０２、Ｐ２−Ｌ１シグナリング１０３、ＰＬＰ０−Ｌ２シグナリング１０４、そして１つ以上のＰＬＰ（Ｐｈｙｓｉｃａｌ  Ｌａｙｅｒ  Ｐｉｐｅ）１０５、１０６、１０７等から構成される。プリアンブル１０２は、通常的に受信機の時間、周波数同期（Ｔｉｍｅ  ａｎｄ  Ｆｒｅｑｕｅｎｃｙ  ｓｙｎｃｈｒｏｎｉｚａｔｉｏｎ）、及びフレーム境界に対する同期などを獲得することに使われる信号である。Ｐ２−Ｌ１シグナリング１０３は、Ｌ１シグナリングが転送される部分である。上記Ｌ１シグナリングは、上記図１で示したように、Ｐ２とも呼ばれるが、これはＬａｙｅｒ１、即ち物理階層シグナリングを意味する。
【０００４】
上記物理階層シグナリングであるＰ２−Ｌ１シグナリング１０３は、Ｌ１スタティック（ｓｔａｔｉｃ）情報１０８、Ｌ１コンフィギュラブル（ｃｏｎｆｉｇｕｒａｂｌｅ）情報１０９、Ｌ１ダイナミック（ｄｙｎａｍｉｃ）情報１１０などから構成される。上記Ｌ１スタティック情報１０８は、時間的に殆ど変わらない情報を含み、このようなスタティック情報には、セル識別子、ネットワーク識別子、ＲＦチャンネル数、フレーム長さ、パイロット副搬送波位置などの情報が含まれる。
【０００５】
Ｌ１コンフィギュラブル情報１０９は、毎フレーム毎に変わらず、複数のフレーム毎に
変わることができる情報を含み、このようなコンフィギュラブル情報には、サービス識別子、各サービスデータ転送に使われる変調方式（ｍｏｄｕｌａｔｉｏｎ）、符号化率（ｃｏｄｅ  ｒａｔｅ）情報などがある。Ｌ１ダイナミック情報１１０は、毎フレーム毎に変わることができる情報を含み、このようなダイナミック情報には、各ＰＬＰが現在フレームのどの位置で転送されるか、即ち、各ＰＬＰが現在フレームのどこで始まり、どこで終わるかに対する情報などを含む。
【０００６】
ＰＬＰ０−Ｌ２シグナリング１０４は、Ｌ２シグナリングが転送される部分である。上記Ｌ２シグナリングは、Ｌａｙｅｒ２、即ちＭＡＣ（Ｍｅｄｉｕｍ  Ａｃｃｅｓｓ  Ｃｏｎｔｒｏｌ）シグナリングを示し、通常、上記Ｌ２情報が転送されるＰＬＰをＰＬＰ０と称することもある。上記ＰＬＰ０は、ＰＬＰと放送サービスとの間の連結情報を含むが、これは特定のサービスがどんなＰＬＰを通じて受信されるかを示す。上記図１で、ＰＬＰ＿１  １０５、ＰＬＰ＿２  １０６、・・・、ＰＬＰ＿Ｎ  １０７は、各々１つあるいは複数個の放送サービスチャンネルを転送し、これは実際の放送データが転送される部分であって、これらはデータＰＬＰと呼ぶこともある。上記データＰＬＰはＴＤＭ（Ｔｉｍｅ  Ｄｉｖｉｓｉｏｎ  Ｍｕｌｔｉｐｌｅｘｉｎｇ）方式により転送されるＰＬＰである。本明細書では、放送サービスのためのデータＰＬＰと称することにする。
【０００７】
上記図１を通じて、実際の特定の放送サービスチャンネルを受信する過程を説明すれば、プリアンブル１０２を通じて上記フレームの同期を獲得した受信機は、Ｐ２部分１０３を通じてデータが転送される方式、フレーム長さなどの情報を得て、ＰＬＰ０  １０４を通じて受信しようとする放送サービスチャンネルがどんなＰＬＰを通じて転送されるかの情報を獲得した後、データＰＬＰ  １０５、１０６、・・・、１０７を通じて放送データを受信する。
【０００８】
一方、特定の放送サービスを一定時間の間受信する場合、前述したようなプリアンブル受信→Ｐ２受信→ＰＬＰ０受信→データＰＬＰ受信などの一連の過程を毎フレーム毎に遂行しなくてもよくするために、上記特定の放送サービスのためのＰＬＰにイン−バンドシグナリング（ｉｎ−ｂａｎｄ  ｓｉｇｎａｌｉｎｇ）を通じて同一ＰＬＰの次のフレームでのＬ１  ダイナミック情報を転送するようにする技術が使われる。上記イン−バンドシグナリングを通じたデータ受信方法が図２に表れている。
【０００９】
図２は、イン−バンドシグナリングを通じた基本システムにおけるデータ受信方法の一例示図である。
図２を参照すると、参照番号２０１はフレーム＃ｋ、参照番号２０２はフレーム＃（ｋ＋１）を各々示す。  図１で説明したように、フレーム＃ｋは、プリアンブル２０３、Ｐ２―Ｌ１シグナリング２０４、ＰＬＰ０−Ｌ２シグナリング２０５、ＰＬＰ＿１  ２０６、ＰＬＰ＿２  ２０７、及び  ＰＬＰ＿Ｎ  ２０８を含み、フレーム＃（ｋ＋１）２０２は、プリアンブル２０９、  Ｐ２―Ｌ１シグナリング２１０、ＰＬＰ０−Ｌ２シグナリング２１１、ＰＬＰ＿１  ２１２、ＰＬＰ＿２  ２１３、及び  ＰＬＰ＿Ｎ  ２１４を含む。
【００１０】
上記図２に示すように、特定の受信機がＰＬＰ＿２を通じて特定の放送サービスチャンネルを受信していると仮定する。上記受信機は、参照番号２０７のフレーム＃ｋ２０１で転送されるＰＬＰ＿２を受信する。ＰＬＰ＿２  ２０７にはイン−バンドシグナリング情報が含まれる。上記イン−バンドシグナリング情報は、次のフレームであるフレーム＃（ｋ＋１）２０２で上記ＰＬＰ＿２  ２０７の位置、即ち、ダイナミック（ｄｙｎａｍｉｃ）情報を含み、上記受信機は上記ダイナミック情報を通じて次のフレームでＰＬＰ＿２  ２１３を受信するために参照番号２１０と指称されるＰ２部分を受信せず、直ぐに参照番号２１３部分のＰＬＰ＿２を受信することができる。即ち、上記受信機は、フレーム＃ｋ２０１でＰＬＰ＿２  ２０７を受信した後、次のフレームであるフレーム＃（ｋ＋１）２０２のＰＬＰ＿２  ２１３（ＰＬＰ＿２  ２０７の次のデータが含まれる）を受信する前まで上記受信機のいろいろな受信装置に対する電力をオフ（ｏｆｆ）することができ、これを通じて電力を節約することができる。
【００１１】
この際、フレーム＃ｋ２０１でのＰＬＰ＿２  ２０７とフレーム＃（ｋ＋１）２０２でのＰＬＰ＿２  ２１３は、同一な放送サービスに対するデータを含んでおり、これを区別するために本明細書では受信機が現在受信するフレーム＃ｋでのＰＬＰ＿２  ２０７の以後に転送されるＰＬＰ＿２  ２１３を“次のパケット”と称することもある。しかしながら、“次のパケット”は現在フレームの直後に位置するフレームだけでなく、現在フレームの直後のフレームの以後に位置する全てのフレームのうち、どのフレームに含まれたデータＰＬＰを表すことができる。
【００１２】
また、イン−バンドシグナリング２１６は、参照番号２１８のように１つまたは複数個の異なるデータＰＬＰの位置を含むことができる。上記受信機がＰＬＰ＿２  ２０７を受信していた途中、ＰＬＰ＿Ｎ  ２１４にサービスを転換する場合、既に獲得したイン−バンドシグナリング情報を用いて予め次のフレームでのＰＬＰ＿Ｎ  ２１４の位置情報を得ることができる。したがって、上記受信機は、次のフレームのＰ２部分２１０を受信及び復調しなくても直ぐＰＬＰ＿Ｎ  ２１４の位置を探すことによって、電力を節約することができる。
【００１３】
上記図２で言及した基本システムでは、イン−バンドシグナリングが現在フレーム（フレーム＃ｋ）の常に次のフレーム（フレーム＃（ｋ＋１））の位置及び制御情報のみを含むことを前提とする。しかしながら、仮にＰＬＰ＿２  ２０７が次のフレームに存在しない場合に備えて拡張システムを定義することができる。
【００１４】
図３は、シグナリングを通じた拡張システムにおけるデータ受信方法の一例示図である。フレーム＃ｋ２５１は、プリアンブル２５３、Ｐ２−Ｌ１シグナリング２５４、ＰＬＰ０−Ｌ２シグナリング２５５、ＰＬＰ＿１  ２５６、ＰＬＰ＿２  ２５７、及び  ＰＬＰ＿Ｎ  ２５８を含む。フレーム＃（ｋ＋Ｎ）２５２は、プリアンブル２５９、Ｐ２−Ｌ１シグナリング２６０、ＰＬＰ０シグナリング２６１、ＰＬＰ＿１  ２６２、ＰＬＰ＿２  ２６３、及びＰＬＰ＿Ｎ  ２６４を含む。
【００１５】
上記図３で、ＰＬＰ＿２  ２５７が現在フレーム＃ｋ２５１で存在し、その次のパケットが次のフレーム＃（ｋ＋１）でないフレーム＃（ｋ＋Ｎ）２５２（ここで、Ｎは２以上の自然数）で存在する場合、図３の参照番号２７０のようにイン−バンドシグナリング情報でフレーム＃（ｋ＋Ｎ）の位置情報を記録することができる。このような場合は、送信機システムが全てのサービスのデータＰＬＰを予め格納することができる場合であって、複数個のフレームに対して上記全てのサービスのためのデータＰＬＰの事前の位置情報を予め予測できる時のみに定義できる。しかしながら、複数個の後行フレームに対して全てのデータＰＬＰを収集できない場合、このような拡張システムは不可能である。
【００１６】
区分すれば、基本システムの場合、送信機は現在フレームの直後の１フレームまでスケジューリングが可能であり、拡張システムの場合、送信機は現在フレームの最大ＮＭＡＸ次のフレーム（現在フレームがフレーム＃ｋの場合、最大ＮＭＡＸ次のフレームはフレーム＃（ｋ＋ＮＭＡＸ）となる）までスケジューリングが可能である。したがって、以下では２つのシステムを合わせて、同一な放送システムと命名し、送信機がスケジューリングできる最大フレームの数（＝予測可能な最大フレームの数）を最大スケジューリング可能区間ＮＭＡＸ（ここで、ＮＭＡＸは１以上の自然数）と定義するようにする。
【発明の概要】
【発明が解決しようとする課題】
【００１７】
しかしながら、前述した放送システムにおける特定の放送サービスのためのデータＰＬＰの次のパケットが＃（ＮＭＡＸ＋１）番目のフレームで存在する場合、即ち、特定のデータＰＬＰの次のパケットが送信機がスケジューリングできる最大フレーム数の以後のフレームに存在する場合には、イン−バンドシグナリングに含む情報が不明になり、これによって、イン−バンドシグナリングで動作する受信機で途切れない（ｓｅａｍｌｅｓｓ）受信が不能になる。したがって、送信機がスケジューリングできる最大フレーム個数から外れた場合に、受信機はパケットを受信できなくて、パケット損失が起こるようになり、上記のようなパケット損失を防止しようとする場合には、受信機が次のフレームである＃（ＮＭＡＸ＋１）フレーム遅延の後にＰ２プリアンブルからＬ１シグナリングを受信／復調した以後でなければ次のパケットに対するスケジューリング情報を獲得できないという問題を有している。
【課題を解決するための手段】
【００１８】
そこで、本発明は上記従来の無線放送システムにおける問題点に鑑みてなされたものであって、本発明は、少なくとも前述した問題点及び／または短所を解決するためのものであり、少なくとも以下に記載された利点を提供する。
【００１９】
本発明は、イン−バンドシグナリングを通じて途切れなく安定的にデータを受信すると共に、電力低減の効果を可能にするイン−バンドシグナリング情報送受信方法及び装置を提供することをその目的とする。
【００２０】
本発明に係るフレームを構成する複数のデータＰＬＰ（Ｐｈｙｓｉｃａｌ  Ｌａｙｅｒ  Ｐｉｐｅ）を介して放送サービスデータを転送する無線放送システムにおけるイン−バンドシグナリング情報送信方法は、現在フレームを転送する時点から最大スケジューリング可能区間（ＮＭＡＸ）内で転送される少なくとも１つのフレームで特定の放送サービスのためのデータＰＬＰの転送が存在しない時、上記現在フレームの上記特定の放送サービスのためのデータＰＬＰ内にノン−ＰＬＰシグナリング情報を含めて転送する過程を含むことを特徴とする。ここで、上記ノン−ＰＬＰシグナリング情報は、上記最大スケジューリング可能区間内で転送される、少なくとも１つのフレームを通じて上記特定の放送サービスのためのデータＰＬＰの転送がなされないことを知らせるための情報である。
【００２１】
本発明に係るフレームを構成する複数のデータＰＬＰ（Ｐｈｙｓｉｃａｌ  Ｌａｙｅｒ  Ｐｉｐｅ）を介して放送サービスデータを転送する無線放送システムにおけるイン−バンドシグナリング情報送信装置は、現在フレームを転送する時点から最大スケジューリング可能区間（ＮＭＡＸ）内で転送される少なくとも１つのフレームで特定の放送サービスのためのデータＰＬＰの転送が存在しない時、上記現在フレームを通じて上記特定の放送サービスのためのデータＰＬＰ内にノン−ＰＬＰシグナリング情報を含めて転送する送信機を含むことを特徴とする。ここで、上記ノン−ＰＬＰシグナリング情報は、上記最大スケジューリング可能区間内で転送される少なくとも１つのフレームを通じて上記特定の放送サービスのためのデータＰＬＰの転送がなされないことを知らせるための情報である。
【００２２】
本発明に係るフレームを構成する少なくとも１つのデータＰＬＰ（Ｐｈｙｓｉｃａｌ  Ｌａｙｅｒ  Ｐｉｐｅ）を介して放送サービスデータを転送する無線放送システムにおけるイン−バンドシグナリング情報受信方法は、受信中の現在フレームで特定の放送サービスのためのデータＰＬＰのイン−バンドシグナリング情報から上記特定の放送サービスのためのデータＰＬＰの次のパケットに対する制御情報を獲得する過程と、上記制御情報から上記次のパケットが存在するフレームが最大スケジューリング可能区間（ＮＭＡＸ）内で転送されるかを検査する過程と、上記次のパケットが存在するフレームが上記最大スケジューリング可能区間内で転送されれば、上記次のパケットが存在するフレームで上記次のパケットを探して受信する過程と、を含むことを特徴とする。
【００２３】
本発明に係るフレームを構成する少なくとも１つのデータＰＬＰ（Ｐｈｙｓｉｃａｌ  Ｌａｙｅｒ  Ｐｉｐｅ）を介して放送サービスデータを転送する無線放送システムにおけるイン−バンドシグナリング情報受信装置は、受信中の現在フレームで特定の放送サービスのためのデータＰＬＰのイン−バンドシグナリング情報を獲得するイン−バンドシグナリング情報抽出部と、上記獲得されたイン−バンドシグナリング情報から上記特定の放送サービスのためのデータＰＬＰの次のパケットに対する制御情報を獲得し、上記制御情報から上記次のパケットが存在するフレームが最大スケジューリング可能区間（ＮＭＡＸ）内で転送されるかを検査し、上記次のパケットが存在するフレームが上記最大スケジューリング可能区間内で転送されれば、上記次のパケットが存在するフレームで上記次のパケットを探して受信するようにデータＰＬＰ受信部を制御する制御部と、を含むことを特徴とする。
【発明の効果】
【００２４】
本発明で提案するイン−バンドシグナリング情報送受信方法及び装置において、受信機は途切れないデータ受信を行なうことができ、また電力低減の効果を極大化することができる。
【図面の簡単な説明】
【００２５】
【図１】図１は従来の放送システムのフレーム構造を説明するための図である。
【図２】図２はイン−バンドシグナリングを通じた基本システムにおけるデータ受信方法の一例示図である。
【図３】図３はイン−バンドシグナリングを通じた拡張システムにおけるデータ受信方法の一例示図である。
【図４】図４は本発明の好ましい実施形態に係る送信機動作を示す流れ図である（Ｂ）。
【図５】図５は本発明の好ましい実施形態に係る送信機動作を示す流れ図である（Ａ）。
【図６】図６は本発明の好ましい実施形態に係る受信機動作を示す流れ図である。
【図７】図７は本発明の好ましい実施形態に係る送信機装置の構成を示す図である。
【図８】図８は本発明の好ましい実施形態に係る受信機装置の構成を示す図である。
【発明を実施するための形態】
【００２６】
以下、本発明に係る実施形態を添付の図面を参照しつつ詳細に説明する。下記の説明では本発明に係る動作の理解に必要な部分だけ説明され、その以外の部分の説明は本発明の要旨を曖昧にしないように省略されることに留意すべきである。
【００２７】
下記の説明と請求範囲で使われた用語及び単語は文献的な意味に限定されるものでなく、単に発明者により本発明を明確で、かつ簡潔にするために使われたものである。したがって、本発明の好ましい実施形態の下記の説明は単に目的を示すために提供されたものであり、添付した請求範囲及びこれらに相当するものによって本発明を限定しようとする目的でないことを当業者には明らかである。
【００２８】
文脈上、明確に規定されていない限り、単数の形態で使われた用語は複数の指示対象物を含むことと理解する。したがって、例えば、“コンポーネント表面”は１つ以上のこのような表面を参照していることを内包している。
【００２９】
図４及び図５は、本発明の好ましい実施形態に係る送信機の動作を示す流れ図である。
図４及び図５を参照すると、ステップ３０１で、送信機は次のフレームのＰ２情報（Ｌ１スタティック、Ｌ１コンフィギュラブル、Ｌ１ダイナミックは、各データＰＬＰの位置を含み）、ＰＬＰ０の情報などを決定し、ステップ３０２で、データＰＬＰに多重化されるイン−バンドシグナリング部分を初期化する。上記ステップ３０１で、“次のフレーム”は現在フレーム＃ｋの以後に位置するフレームのうちの任意のフレームであって、＃（ｋ＋１）番目のフレーム、＃（ｋ＋３）番目のフレーム、または＃（ｋ＋ＮＭＡＸ）フレームなどになる。
【００３０】
以下の過程は、現在動作中のシステムが現在フレームの直後のフレームの制御情報（スケジューリング情報、次のフレームに存在するデータＰＬＰのＩＤ等）のみ予測可能か、またはその以上のフレームに対する制御情報収集が可能かによって分けられる。即ち、送信機はステップ３０３で、イン−バンドシグナリング情報にデータＰＬＰ別のフレームインデックスフィールドを含むシステムであるかを検査し、上記ステップ３０３で、イン−バンドシグナリング情報にＰＬＰ別のフレームインデックスフィールドを含むシステムでなければ、即ち、仮に直後のフレームの制御情報のみ収集できれば、ステップ３５０に進行する。
【００３１】
以下、“直後のフレーム”は現在フレームの直後に位置するフレームを意味し、“次のフレーム”は現在フレームの以後に位置するフレームを意味する。
【００３２】
そして、送信機はステップ３５０で、イン−バンドシグナリング情報が含まれた特定の放送サービスのためのデータＰＬＰ（以下、“特定の放送サービスのためのデータＰＬＰ”という）が直後のフレームに存在するかをチェックし、上記直後のフレームにも上記特定の放送サービスのためのデータＰＬＰが存在する場合、ステップ３５１に進行して、現在フレーム＃ｋで転送される特定の放送サービスのためのデータＰＬＰのイン−バンドシグナリング部分に上記直後のフレーム＃（ｋ＋１）での上記特定の放送サービスのためのデータＰＬＰのＩＤ、位置、及び長さ情報を含める。
【００３３】
一方、上記ステップ３５０で、仮に上記直後のフレームに特定の放送サービスのためのデータＰＬＰが存在しなければ、送信機はステップ３５２で現在のシステムではこれ以上フレーム（＃（ｋ＋１）番目のフレームの以後のフレーム）に対しては予測できないので、これ以上特定の放送サービスのためのデータＰＬＰの次のパケットに対する情報収集を中断し、上記特定の放送サービスのためのデータＰＬＰに対するイン−バンドシグナリング情報をブランクにしておいたままで、次の段階であるステップ３０９に進行する。
【００３４】
仮に、現在動作中のシステムが今後、現在フレームである＃ｋ番目のフレームから２番目のフレームの後であるフレーム＃（ｋ＋２）から（ＮＭＡＸ）番目のフレーム（フレーム＃（ｋ＋ＮＭＡＸ））まで全てのデータＰＬＰの制御情報を事前に収集できるシステムである場合、動作は次の通りである。
【００３５】
即ち、送信機はステップ３０３で、イン−バンドシグナリング情報にデータＰＬＰの位置を指示するフレームインデックスフィールドを含むシステムであるかを検査し、上記ステップ３０３で、イン−バンドシグナリング情報に上記フレームインデックスフィールドが含まれれば、フレーム＃（ｋ＋２）からフレーム＃（ｋ＋ＮＭＡＸ）までの制御情報に対して収集できるという意味であるので、ステップ３０４に進行する。
【００３６】
まず、ステップ３０４で、現在フレーム＃ｋでシステムが既に＃（ｋ＋ＮＭＡＸ）フレームまで予測できるので、特定の放送サービスのためのデータＰＬＰが現在フレーム＃ｋからＮフレームの以内に存在するかをチェックする。この際、上記ＮＭＡＸは事前に送受信機が決まった値にすることもでき、または別のシグナリングを通じて送信機が受信機に知らせることもできる。ＮＭＡＸ＝１のシステムに比べてフレーム＃（ｋ＋２）以上フレーム＃（ｋ＋ＮＭＡＸ）まで全てのデータＰＬＰの制御情報を事前に収集できるシステムの場合には、各データＰＬＰが転送される次のフレーム情報Ｎを追加に知らせることができるので、イン−バンドシグナリング情報にフレームインデックスフィールドが追加される。上記フレームインデックスフィールドは、各データＰＬＰの次のパケットが存在するフレームの番号を知らせる情報として使われる。
【００３７】
上記ステップ３０４から特定の放送サービスのためのデータＰＬＰが今後のＮ（ここで、Ｎは１以上、ＮＭＡＸ以下である）フレームの後に存在すれば、送信機はステップ３０５で、特定の放送サービスのためのデータＰＬＰの次のパケットが存在するフレームインデックス及び各データＰＬＰのＩＤ、位置、長さのような制御情報を決定する。ステップ３０６で、現在フレーム＃ｋで転送される特定の放送サービスのためのデータＰＬＰのイン−バンドシグナリング情報に上記データＰＬＰが次に転送されるフレームのフレームインデックスＮ及び上記制御情報を含める。
【００３８】
一方、上記ステップ３０４の検査結果、仮に特定の放送サービスのためのデータＰＬＰが（ｋ＋ＮＭＡＸ）フレーム内に存在しなければ、送信機はステップ３０７で、“特定の放送サービスのためのデータＰＬＰが少なくても（ｋ＋ＮＭＡＸ）フレーム内では存在しない”という情報（以下、“ノン−ＰＬＰシグナリング情報”という）をイン−バンドシグナリング情報に含む。言い換えると、上記ノン−ＰＬＰシグナリング情報は、“上記最大スケジューリング可能区間（ＮＭＡＸ）内で転送される複数のフレームを通じて上記特定の放送サービスのためのデータＰＬＰの転送がなされないことを表す。
【００３９】
この際、前述した情報を転送する方法には、次の３つ方式を例として使用することができる。第１に、フレームインデックスフィールド値のうちの１つを上記情報を表すように定義することもでき、第２に、別途のフィールドを定義して上記ノン−ＰＬＰシグナリング情報を表すようにする方法がある。
【００４０】
または、第３の方式には、本システムのために定義されたフレームインデックスフィールドと従来に存在するイン−バンドシグナリング情報内のデータＰＬＰ長さ情報を組み合わせることによって、同一な表現をすることもできる。第３の方式の１つの実施形態に、フレームインデックスフィールドがｋ＋ＮＭＡＸを表しながらデータＰＬＰ長さ情報が０値を有する時、上記ノン−ＰＬＰシグナリング情報を表すことと定義することができる。
【００４１】
図５を参照すれば、前述したステップ３０６、３０７、３５１、３５２でのように、特定の放送サービスのためのデータＰＬＰに対する制御情報生成が終わると、送信機はステップ３０９に進行して、他の放送サービスのためのデータＰＬＰに対する制御情報作成が必要か否かを判断する。即ち、送信機はステップ３０９で、現在フレームで転送される特定の放送サービスのためのデータＰＬＰのイン−バンドシグナリング情報にさらに含めなければならない他のデータＰＬＰの情報があるか否かを検査する。１つあるいは複数個の他のデータＰＬＰに対する制御情報は選択的になされ、上記ステップ３０９の検査結果、速いサービス転換のために他のデータＰＬＰの制御情報を含まなければならないと、送信機はステップ３１０で、上記特定の放送サービスのためのデータＰＬＰのイン−バンドシグナリング情報に上記他のデータＰＬＰの制御情報を追加する。
【００４２】
このように、ステップ３１０で、上記特定の放送サービスのためのデータＰＬＰのイン−バンドシグナリング情報生成が完了すれば、送信機はステップ３１１で、上記特定の放送サービスのためのデータＰＬＰのデータ情報とイン−バンドシグナリングを多重化する。この際、送信機はフレーム＃ｋ内に含まれる各データＰＬＰ別に上記ステップ３０１から上記ステップ３１１までの全ての過程を遂行した後、ステップ３１２で、現在フレーム＃ｋを構成して転送する。その後、次のフレームを処理するためにステップ３６０で、次のフレームへ移動し、ステップ３０１に進行する。
【００４３】
図６は、本発明の好ましい実施形態に係る受信機動作を示す流れ図である。
上記図６を参照すると、ステップ４０１で、受信機は現在受信中のデータＰＬＰのイン−バンドシグナリング情報から次のフレームで上記現在受信中の放送サービスのためのデータＰＬＰの位置情報を獲得する。ステップ４０１の以下の過程は、現在動作中のシステムがＮＭＡＸ≧２をサポートするためにフレームインデックスフィールドを持っているシステムであるか、でなければ上記のフレームインデックスフィールド無しで現在フレームの直後のフレームの制御情報転送のみ可能なシステムであるかによって分けられる。即ち、ステップ４０２の検査結果に従って、上記現在動作中のシステムが現在受信中の特定の放送サービスのためのデータＰＬＰのフレームインデックス情報をサポートするシステムであるかによって、受信機はステップ４０３またはステップ４０４に進行する。
【００４４】
上記ステップ４０２の検査結果、上記システムが現在フレーム＃ｋの直後のフレームの制御情報の転送のみ可能であれば、受信機はステップ４０４に移動してイン−バンドシグナリング情報内に特定の放送サービスのためのデータＰＬＰの制御情報が存在するか否かを確認する。仮に上記イン−バンドシグナリング情報に上記特定の放送サービスのためのデータＰＬＰの制御情報が存在すれば、受信機はステップ４０９で、現在フレームの直後のフレームであるフレーム＃（ｋ＋１）に上記特定の放送サービスのためのデータＰＬＰが存在することを認知し、上記フレーム＃（ｋ＋１）に移動する。ステップ４１０で、上記フレーム＃（ｋ＋１）で上記データＰＬＰの位置を探して上記データＰＬＰのデータを受信するようになる。上記ステップ４１０の以後には、受信機はまたステップ４０１に進行して現在受信した特定の放送サービスのためのデータＰＬＰ内に存在するイン−バンドシグナリング情報を復調する。  
【００４５】
でなければ、上記ステップ４０４の検査結果、仮に直後のフレーム＃（ｋ＋１）のイン−バンドシグナリング情報に特定の放送サービスのためのデータＰＬＰの制御情報が存在しなければ、受信機は直後のフレーム＃（ｋ＋１）に上記特定の放送サービスのためのデータＰＬＰが存在しないことを判断し、ステップ４０５に進行して、フレーム＃（ｋ＋１）の以後のフレームであるフレーム＃（ｋ＋２）に２フレームを移動する。
【００４６】
以後、受信機では、これ以上上記特定の放送サービスのためのデータＰＬＰの位置情報をイン−バンドシグナリング情報から獲得できないので、ステップ４０６で、上記受信機が現在受信するフレームであるフレーム＃（ｋ＋２）でＰ２部分を必ず受信して、フレーム＃（ｋ＋２）内に存在する上記特定の放送サービスのためのデータＰＬＰのＩＤと位置情報とを獲得する。そして、ステップ４０７で、仮にフレーム＃（ｋ＋２）に上記特定の放送サービスのためのデータＰＬＰが存在すれば、受信機はステップ４１１に進行して、上記フレーム＃（ｋ＋２）で上記特定の放送サービスのためのデータＰＬＰの位置を探してデータを受信する。
【００４７】
そして、上記ステップ４１１の以後の受信機は、特定の放送サービスのためのデータＰＬＰからイン−バンドシグナリング情報を獲得し、獲得したイン−バンドシースナルリング情報を使用して、またステップ４０１で、次のフレームでの制御情報を獲得する。
【００４８】
以上、システムが現在フレームの直後のフレームの制御情報のみ知っている場合について受信機の動作を説明した。
【００４９】
しかしながら、システムが複数個のフレームの以後のフレームに対する制御情報獲得及び転送が可能なシステムである場合、受信機の動作は、次の通りである。即ち、上記ステップ４０２で、受信機は上記システムが現在受信中の特定の放送サービスのためのデータＰＬＰのフレームインデックス情報をサポートするシステムであるかを判断し、上記データＰＬＰのフレームインデックス情報をサポートすれば、ステップ４０３に進行して、現在データ受信中のＰＬＰがＮフレームの後に存在するか否かを判断する。この際、ステップ４０３で、受信機は上記ステップ３０７で記述した“ノン−ＰＬＰシグナリング情報”に基づいて、現在受信中の特定の放送サービスのためのデータＰＬＰがＮ番目のフレームの以後に存在するか否かを判断する。仮に、ステップ４０３で、現在受信中の特定の放送サービスのためのデータＰＬＰがＮＭＡＸより小さいか等しいＮ番目のフレームの後に存在すると認知すれば、受信機はステップ４１２に進行して、直ぐＮフレームの間待った後、ステップ４１０に進行して、上記＃（ｋ＋Ｎ）フレームで上記特定の放送サービスのためのデータＰＬＰの位置でデータを受信する。
【００５０】
しかしながら、上記ステップ４０３で、受信機が現在受信中の特定の放送サービスのためのデータＰＬＰが仮に今後（ＮＭＡＸ）番目のフレーム（フレーム＃（ｋ＋ＮＭＡＸ））の間存在しないと認知すれば、ステップ４１３に進行して、現在フレームから（ＮＭＡＸ＋１）番目のフレーム（即ち、＃（ｋ＋ＮＭＡＸ＋１））まで遅延し、ステップ４０６に進行して、上記フレーム＃（ｋ＋ＮＭＡＸ＋１）のＰ２部分を必ず受信する。そして、受信機はステップ４０７で、上記フレーム＃（ｋ＋ＮＭＡＸ＋１）に上記特定の放送サービスのためのデータＰＬＰが存在するか否かをチェックする。上記ステップ４０６、ステップ４０７、ステップ４０８、及びステップ４１１は、既に説明したので、ここでは省略する。以後、上記特定の放送サービスのためのデータＰＬＰの位置を探してデータを受信した後には、またステップ４０１に進行して上記のステップを繰り返す。
【００５１】
図７は、本発明の好ましい実施形態に係る送信機装置の構成図である。上記図７を参照すると、送信機は、スケジューラ５０１、制御部５０２、イン−バンドシグナリング情報生成部５０３、フレーム構成部５０４、送信データバッファ５０５、及びフレーム転送部５０６などから構成される。
【００５２】
送信データバッファ５０５は、複数の放送サービスチャンネルの転送しなければならないデータがバッファリングされるメモリである。スケジューラ５０１は、バッファリングされるデータに対する状態に従って所定のスケジュールリングを遂行する。上記スケジュールリング動作は、特定のフレームに対してデータＰＬＰ  ＩＤ及び位置情報のような制御情報を決定することを含む。上記スケジュールリング結果は、制御部５０２に入力される。制御部５０２は、イン−バンドシグナリング情報生成部５０３を制御して上記図３で説明したように、イン−バンド信号を生成するようにし、送信データバッファ５０５と上記イン−バンドシグナリング情報生成部５０３の出力を制御することによって、フレーム構成部５０４が１つのフレームを構成することを制御する。上記のように構成されたフレームはフレーム転送部５０６に入力され、これは図１でのように転送される。上記フレーム転送部５０６は、通常のＯＦＤＭ信号転送部と同一である。
【００５３】
本発明の実施形態に係る送信機は、現在フレームを転送する時点から最大スケジューリング可能区間（ＮＭＡＸ）内で転送される少なくとも１つのフレームで特定の放送サービスのためのデータＰＬＰの転送が存在しない時、上記現在フレームを通じて上記特定の放送サービスのためのデータＰＬＰ内にノン−ＰＬＰシグナリング情報を含めて転送する。また、本発明の実施形態に係る送信機は、上記データＰＬＰが上記フレームインデックスフィールドを具備せず、上記現在フレームの直後に転送されるフレーム内に上記特定の放送サービスのためのデータＰＬＰが存在しなければ、上記データＰＬＰに含まれるイン−バンドシグナリング情報をブランクにする上記現在フレームを転送する。そして、また本発明に係る送信機は、上記データＰＬＰが上記フレームインデックスフィールドを具備せず、上記現在フレームの直後に転送されるフレーム内に上記特定の放送サービスのためのデータＰＬＰが存在すれば、上記任意のデータＰＬＰに含まれるイン−バンドシグナリング情報に上記現在フレームの直後に転送されるフレーム内に上記特定の放送サービスのためのデータＰＬＰに対する制御情報を挿入して上記現在フレームを転送する。
【００５４】
併せて、上記送信機は上記任意のデータＰＬＰが上記フレームインデックスフィールドを具備し、上記最大スケジューリング可能区間（ＮＭＡＸ）内で上記現在フレームの以後に転送されるフレーム内に上記特定の放送サービスのためのデータＰＬＰが存在すれば、上記データＰＬＰに含まれるイン−バンドシグナリング情報に上記特定の放送サービスのためのデータＰＬＰが存在するフレームインデックスを決定し、上記特定の放送サービスのためのデータＰＬＰに対する制御情報を決定し、上記決定されたフレームインデックスと上記特定の放送サービスのためのデータＰＬＰに対する制御情報を上記現在  フレームに挿入して転送する。
【００５５】
そして、上記送信機は、前述したように、３つ方式により上記最大スケジューリング可能区間内で上記現在フレームの以後に転送されるフレーム内に上記特定の放送サービスのためのデータＰＬＰが存在しないことを示す。
【００５６】
即ち、上記送信機は、第１の方式において、上記データＰＬＰが上記フレームインデックスフィールドを具備し、上記最大スケジューリング可能区間（ＮＭＡＸ）内で上記現在フレームの以後に転送されるフレーム内に上記特定の放送サービスのためのデータＰＬＰが存在しなければ、上記データＰＬＰのフレームインデックスフィールド値のうちの１つを用いて上記最大スケジューリング可能区間内に上記現在フレームの以後に転送されるフレーム内に上記特定の放送サービスのためのデータＰＬＰが存在しないことを示す。
【００５７】
第２の方式において、上記送信機は、上記データＰＬＰが上記フレームインデックスフィールドを具備し、上記最大スケジューリング可能区間（ＮＭＡＸ）内で上記現在フレームの以後に転送されるフレーム内に上記特定の放送サービスのためのデータＰＬＰが存在しなければ、上記データＰＬＰ内に別のフィールドを定義して上記最大スケジューリング可能区間内に上記現在フレームの以後に転送されるフレーム内に上記特定の放送サービスのためのデータＰＬＰが存在しないことを示す。
【００５８】
第３の方式において、上記送信機は、上記データＰＬＰが上記フレームインデックスフィールドを具備し、上記最大スケジューリング可能区間（ＮＭＡＸ）内で上記現在フレームの以後に転送されるフレーム内に上記特定の放送サービスのためのデータＰＬＰが存在しなければ、上記フレームインデックスフィールドと上記データＰＬＰの長さ情報とを組み合わせて、上記最大スケジューリング可能区間内に現在フレームの以後に転送されるフレーム内に上記特定の放送サービスのための上記データＰＬＰが存在しないことを示す。
【００５９】
図８は、本発明の好ましい実施形態に係る受信機装置の構成を示す図である。
図８を参照すると、受信機は、データＰＬＰ受信部６０１、物理階層（以下Ｐ２と略記）受信部６０３、イン−バンドシグナリング情報抽出部６０２、及び制御部６０４などから構成される。データＰＬＰ受信部６０１は、通常のＯＦＤＭ信号受信機を用いて所望のＰＬＰデータを受信する部分である。イン−バンドシグナリング情報抽出部６０２は、データＰＬＰ受信部６０１で得たデータからイン−バンドシグナリング情報を抽出するブロックである。上記抽出されたイン−バンド信号情報は制御部６０４に入力される。制御部６０４は、上記イン−バンドシグナリング情報を用いて所望のフレームだけ遅延した後、データＰＬＰ受信部６０１またはＰ２受信部６０３を図６で説明した方法のように制御する。
【００６０】
即ち、本発明の実施形態に係る制御部６０４は、上記イン−バンドシグナリング情報抽出部６０２が獲得したイン−バンドシグナリング情報から上記特定の放送サービスのためのデータＰＬＰの次のパケットに対する制御情報を獲得し、上記制御情報から上記次のパケットが存在するフレームが最大スケジューリング可能区間（ＮＭＡＸ）内で転送されるか否かを検査し、上記次のパケットが存在するフレームが上記最大スケジューリング可能区間内で転送されれば、上記次のパケットが存在するフレームで上記次のパケットを探して受信するようにデータＰＬＰ受信部６０１を制御する。
【００６１】
また、制御部６０４は、上記次のパケットが存在するフレームが上記最大スケジューリング可能区間の以後に転送されれば、上記現在フレームから上記最大スケジューリング可能区間の以後のフレーム＃（ＮＭＡＸ＋１）で物理階層シグナリング情報を受信するようにＰ２受信部６０３を制御し、上記受信した物理階層シグナリング情報を使用して上記次のパケットを受信するように上記データＰＬＰ受信部６０１を制御する。そして、制御部６０４は図６のステップ４０３で前述したように、上記特定の放送サービスのためのデータＰＬＰのイン−バンドシグナリング情報に含まれたフレームインデックスフィールド値、または上記次のパケットが上記最大スケジューリング可能区間で転送されるかを示すパケット、または上記フレームインデックスフィールドと上記データＰＬＰの長さ情報との組合せのうち、いずれか１つを用いて、上記次のパケットが存在するフレームが上記最大スケジューリング可能区間内で転送されるか否かを検査する。
【００６２】
また、制御部６０４は、上記データＰＬＰに上記フレームインデックス情報が存在せず、上記特定の放送サービスのためのデータＰＬＰが次のフレームに存在しなければ、上記現在フレーム＃ｋから２フレームの以後のフレーム＃（ｋ＋２）で物理階層シグナリング情報を受信するようにＰ２受信部６０３を制御し、上記受信した物理階層シグナリング情報を使用して上記次のパケットを受信するように上記データＰＬＰ受信部６０１を制御する。
【００６３】
本発明の幾つかの形態は、コンピュータ読取可能な記録媒体上にコンピュータ読取可能なコードとして具現されることもできる。コンピュータ読取可能な記録媒体は、コンピュータシステムにより読取できる、データを格納できる任意のデータ格納装置である。コンピュータ読取可能な記録媒体の一例には、ＲＯＭ（Ｒｅａｄ−Ｏｎｌｙ  Ｍｅｍｏｒｙ）、ＲＡＭ（Ｒａｎｄｏｍ−Ａｃｃｅｓｓ  Ｍｅｍｏｒｙ）、ＣＤ−ＲＯＭ、磁気テープ、フロッピー（登録商標）ディスク、光学データ格納装置、及び搬送波（インターネットを通じたデータ転送）を挙げることができる。コンピュータ読取可能な記録媒体は、コンピュータシステムと結合されたネットワーク上に分散配置されることもできるので、コンピュータ読取可能なコードは分散形態で格納及び実行される。また、本発明を実施するための機能的プログラム、コード、及びコードセグメントは、本発明が適用される技術分野のプログラマーであれば容易に理解できる。
【００６４】
尚、本発明は、上述の実施形態に限られるものではない。本発明の技術的範囲から逸脱しない範囲内で多様に変更実施することが可能である。
【符号の説明】
【００６５】
５０１    スケジューラ
５０２    制御部
５０３    イン−バンドシグナリング情報生成部
５０４    フレーム構成部
５０５    送信データバッファ
５０６    フレーム転送部
６０１    データＰＬＰ受信部
６０２    イン−バンドシグナリング情報抽出部
６０３    Ｐ２受信部
６０４    制御部
【図１】
2011519191.tif 000003
【図２】
2011519191.tif 000004
【図３】
2011519191.tif 000005
【図４】
2011519191.tif 000006
【図５】
2011519191.tif 000007
【図６】
2011519191.tif 000008
【図７】
2011519191.tif 000009
【図８】
2011519191.tif 000010
【国際調査報告】
2011519191.tif 000011
2011519191.tif 000012